(57)【要約】【課題】釣銭を盗み出すいたずら手口の防止策として、外部から釣銭返却口に通じる機内の釣銭返却通路へカード等の異物が挿入できないようにする。【解決手段】自動販売機の外扉２に開口した釣銭返却口６で、該釣銭返却口に臨ませて外扉の裏面側にフラッパ式の釣銭取出扉８ｂを備えたコインシュータを装備し、該コインシュータを通じてコイン機構から払出した釣銭を返却口に導くようにしたものにおいて、釣銭返却口６の開口部上縁に、釣銭取出扉８ｂの前面側に向けアーチ状に張り出して機外からカード等の異物の挿入を阻止する庇部６ａを形成し、機外からカード等の異物を釣銭返却口とコインシュータの釣銭取出扉との間の隙間に差し込んで釣銭通路を塞ぎ、コイン機構から払出した釣銭を通路途中で詰まらせて後から盗み出すといった手口のいたずらを阻止して自動販売機の防盗性を高める。【選択図】　　　図１
2004021808.tif 000002
【特許請求の範囲】
【請求項１】
自動販売機の外扉に開口した釣銭返却口であり、該釣銭返却口に臨ませて外扉の裏面側にフラッパ式の釣銭取出扉を備えたコインシュータを装備し、該コインシュータを通じてコイン機構から払出した釣銭を返却口に導くようにしたものにおいて、
釣銭返却口の開口部上縁に、前記釣銭取出扉の前面側に向けアーチ状に張り出して機外から挿入しようとするカード等の異物進入を阻止する庇部を形成したことを特徴とする自動販売機の釣銭返却口。
【発明の詳細な説明】
【０００１】
【発明の属する技術分野】
本発明は自動販売機の外扉に開口した釣銭返却口の構造に関する。
【０００２】
【従来の技術】
まず、本発明の実施対象となる自動販売機の構成を図３，図４に示す。各図において、１は自動販売機の本体キャビネット、２は前面外扉であり、外扉２の前面側には、商品見本を陳列するディスプレイ室３，商品取出口４，およびコイン投入口，釣銭返却レバーを備えた操作パネル５などを装備し、さらに扉面の下部には釣銭返却口６が開口している。
【０００３】
一方、外扉２の裏面側には、図４に示すように前記コイン投入口から投入したコインを受け入れるコイン機構７、コインシュータ８，コイン回収ボックス９などを装備し、コイン機構７から払出した釣銭をコインシュータ８を通じて釣銭返却口６に導き、またコイン機構７からオーバーフローしたコインはコインシュータ８を通じてコイン回収ボックス９に回収させるようにしている。なお、図４において、１０はキャビネット１の断熱内扉、１１は商品収納ラック、１２は商品収納ラック１１から搬出した商品を前記の商品取出口４に導く商品搬出シュータである。
【０００４】
ここで、前記した釣銭返却口６についての従来形状を図５に、またその釣銭返却口６に対応して外扉の裏面側に配したコインシュータ７の構造を図６に示す。すなわち、従来では釣銭返却口６の形状が、図５のように開口部上縁が直線を呈しており、釣銭返却口６に臨むようにコインシュータ８の釣銭受け８ａが開口している。また、釣銭受け８ａの前面にはフラッパ式の釣銭取出扉８ｂを備えており、該扉８ｂは上端のヒンジ軸８ｃを介して押し開き可能に軸支されている。なお、８ｄは図４でコイン機構７からオーバーフローしたコインをコイン回収ボックス９に導くガイドシュータであり、かかるコインシュータ８の詳細な構造および機能については、本発明と同一出願人より先に提案した特開２００２─１５３６６号公報に詳しく述べられている。
【０００５】
【発明が解決しようとする課題】
最近になり、ロケーション先に設置した自動販売機に対して、次のようないたずら手口による金銭の盗難被害が発生して問題となっている。すなわち、図６で示すように釣銭返却口６と釣銭取出扉８ｂのヒンジ軸８ｃとの間に残る僅かな隙間ｇに外部からカード等の異物１３を差し込んコイン受け８ａに通じる釣銭通路を塞いでしまい、その後に利用客が正規に商品を購入した際にコイン機構から釣銭として払出したコイン１４が釣銭返却口６に返却されないように異物１３の上に詰まらせ、客が立ち去ったところを見計らって差し込んでいた異物１３を引き抜き、コインシュータ８の中に溜まっているコイン１４を釣銭返却口６に落として盗み出すやり方である。
【０００６】
本発明は上記の点に鑑みなされたものであり、前記したいたずら手口の防止策として、外部から釣銭返却口に通じる機内側の釣銭返却通路へカード等の異物が挿入できないように改良した自動販売機の釣銭返却口を提供することを目的とする。
【０００７】
【課題を解決するための手段】
上記目的を達成するために、本発明によれば、自動販売機の外扉に開口した釣銭返却口で、該釣銭返却口に臨ませて外扉の裏面側にフラッパ式の釣銭取出扉を備えたコインシュータを装備し、該コインシュータを通じてコイン機構から払出した釣銭を返却口に導くようにしたものにおいて、
釣銭返却口の開口部上縁に、前記釣銭取出扉の前面側に向けアーチ状に張り出して機外から挿入しようとするカード等の異物進入を阻止する庇部を形成するものとする。
【０００８】
上記構成によれば、釣銭返却口の開口部上縁に形成したアーチ状の庇部が釣銭取出扉との間の隙間の前面を塞いでカード等の異物挿入を阻止する。これにより、機外からカード等の異物を差し込んで釣銭返却口に通じるコインシュータの釣銭通路を塞いで釣銭を通路に詰まらせるいたずらを防ぐことができる。
【０００９】
【発明の実施の形態】
以下、本発明の実施の形態を図１，図２に示す実施例に基づいて説明する。なお、実施例の図中で図５，図６に対応する部材には同じ符号を付してその説明は省略する。
すなわち、図示実施例においては、外扉２の前面に開口した釣銭返却口６の形状について、その開口部上縁の形状を従来の直線からアーチ状に変更し、その背後に位置する釣銭取出扉８ｂの前面側に向け張り出す庇部６ａを形成する。
【００１０】
これにより、図２で表すように機外からカード等の異物１３を釣銭返却口６と釣銭取出扉８ｂのヒンジ軸８ｃとの間の隙間に差し込もうとしても、前記の庇部６ａが邪魔して挿入することがでない。これにより、コイン機構から釣銭として払出したコイン１４は通路途中で詰まることなく釣銭受け８ａに搬出され、図６で述べたような手口によるいたずらを防止できる。なお、釣銭返却口の庇部６ａは釣銭取出扉８ｂの前面側に張出しているので、扉の開閉操作の障害になることはない。
【００１１】
しかも、特別な防盗部品を追加装備することなく、釣銭返却口６の形状を若干変更するだけで簡単に対応させることができる。
【００１２】
【発明の効果】
以上述べたように、本発明によれば、自動販売機の外扉に開口した釣銭返却口で、該釣銭返却口に臨ませて外扉の裏面側にフラッパ式の釣銭取出扉を備えたコインシュータを装備し、該コインシュータを通じてコイン機構から払出した釣銭を返却口に導くようにしたものにおいて、釣銭返却口の開口部上縁に、前記釣銭取出扉の前面側に向けアーチ状に張り出して機外から挿入しようとするカード等の異物進入を阻止する庇部を形成したことにより、
機外からカード等の異物を釣銭返却口とコインシュータの釣銭取出扉との間の隙間に差し込んで釣銭通路を塞ぎ、コイン機構から払出した釣銭を通路途中で詰まらせて後から盗み出すといった手口のいたずらを阻止して自動販売機の防盗性を高めることができる。
【図面の簡単な説明】
【図１】本発明の実施例による釣銭返却口の形状を表した自動販売機の外扉の部分図
【図２】図１の釣銭返却口形状によるいたずら防止機能を表した釣銭返却口およびコインシュータの側視断面図
【図３】自動販売機の正面図
【図４】図３の自動販売機の扉開放状態を表す外観図
【図５】従来における釣銭返却口の形状を表した自動販売機の外扉の部分図
【図６】図５の釣銭返却口形状によるいたずら手口を表した釣銭返却口およびコインシュータの側視断面図
【符号の説明】
１　　自動販売機の本体キャビネット
２　　外扉
６　　釣銭返却口
６ａ　庇部
７　　コイン機構
８　　コインシュータ
８ａ　釣銭受け
８ｂ　釣銭取出扉
８ｃ　ヒンジ軸
【図１】
2004021808.tif 000003
【図２】
2004021808.tif 000004
【図３】
2004021808.tif 000005
【図４】
2004021808.tif 000006
【図５】
2004021808.tif 000007
【図６】
2004021808.tif 000008